(57)【要約】【課題】配管をウォータハンマから保護する。【解決手段】ドレン回収システム１は、ドレンが流通する第１ドレン管１４と、第１ドレン管１４を流通するドレンよりも高温のドレンが流通する第２ドレン管１６と、第１ドレン管１４と第２ドレン管１６とがそれぞれ接続される第１配管継手５Ａ又は第２配管継手とを備えている。第１配管継手５Ａ又は第２配管継手５Ｂは、第１ドレン管１４及び第２ドレン管１６のそれぞれが接続されるＴ継手４Ａ又はクロス継手４Ｂと、第２ドレン管１６から流入するドレンに含まれる蒸気を拡散させるサイレンサ２と、サイレンサ２によって拡散された蒸気が凝縮する際の衝撃からＴ継手４Ａ又はクロス継手４Ｂの内周面を保護する第１カバー６Ａ又は第２カバー６Ｂとを有する。【選択図】図２
2018194184.tif 000002
【特許請求の範囲】
【請求項１】
ドレンが流通する第１ドレン管と、
前記第１ドレン管を流通するドレンよりも高温のドレンが流通する第２ドレン管と、
前記第１ドレン管と前記第２ドレン管とがそれぞれ接続され、前記第２ドレン管を流通するドレン又は該ドレンの再蒸発蒸気を前記第１ドレン管に流出させる配管継手とを備え、
前記配管継手は、
前記第１ドレン管及び前記第２ドレン管のそれぞれが接続される継手本体と、
前記継手本体に設けられ、第２ドレン管から流入するドレンに含まれる蒸気を拡散させる拡散機構と、
前記拡散機構によって拡散された蒸気が凝縮する際の衝撃から前記継手本体の内周面を保護するカバーとを有することを特徴とするドレン回収システム。
【請求項２】
請求項１に記載のドレン回収システムにおいて、
蒸気が流通する蒸気管をさらに備え、
前記第２ドレン管は、前記蒸気管で発生したドレンを前記配管継手を介して前記第１ドレン管へ流出させることを特徴とするドレン回収システム。
【請求項３】
ドレンが流通する第１ドレン管と、前記第１ドレン管を流通するドレンよりも高温のドレンが流通する第２ドレン管とがそれぞれ接続され、前記第２ドレン管からのドレン又は該ドレンの再蒸発蒸気を前記第１ドレン管に流出させる配管継手において、
前記第１ドレン管及び前記第２ドレン管のそれぞれが接続される継手本体と、
前記継手本体に設けられ、前記第２ドレン管から流入するドレンに含まれる蒸気を拡散させる拡散機構と、
前記拡散機構によって拡散された蒸気が凝縮する際の衝撃から前記継手本体の内周面を保護するカバーとを備えることを特徴とする配管継手。
【請求項４】
請求項３に記載の配管継手において、
前記カバーは、少なくとも前記拡散機構と前記継手本体の内周面との間に設けられていることを特徴とする配管継手。
【請求項５】
請求項３又は４に記載の配管継手において、
前記カバーは、少なくとも前記拡散機構の上方に設けられていることを特徴とする配管継手。
【請求項６】
請求項３乃至５の何れか１つに記載の配管継手において、
前記拡散機構は、蒸気が流出する流出口を有し、
前記カバーは、少なくともドレンの流れ方向において前記流出口よりも下流側に設けられていることを特徴とする配管継手。
【発明の詳細な説明】
【技術分野】
【０００１】
ここに開示された技術は、ドレン回収システム及び配管継手に関する。
【背景技術】
【０００２】
従来より、ドレンを回収するドレン回収システムが知られている。例えば、特許文献１には、ドレンが流通する第１ドレン管（回収主管）と、第１ドレン管にドレンを流出させる第２ドレン管（分岐回収管）とを備えたシステムが開示されている。
【先行技術文献】
【特許文献】
【０００３】
【特許文献１】特開昭５０−５５７０１号公報
【発明の概要】
【発明が解決しようとする課題】
【０００４】
ところで、前述のようなシステムにおいては、第２ドレン管を流通するドレンは、再蒸発する場合がある。そして、第２ドレン管を流通するドレンの温度が第１ドレン管を流通するドレンの温度よりも高い場合、第２ドレン管から第１ドレン管へ流出した再蒸発蒸気が急激に凝縮し得る。再蒸発蒸気が急激に凝縮すると、衝撃や音が発生する。このように蒸気が急激に凝縮することによって大きな衝撃や音が発生する現象をウォータハンマという。
【０００５】
ここに開示された技術は、かかる事情に鑑みてなされたものであり、その目的は、配管をウォータハンマから保護することにある。
【課題を解決するための手段】
【０００６】
ここに開示されたドレン回収システムは、ドレンが流通する第１ドレン管と、前記第１ドレン管を流通するドレンよりも高温のドレンが流通する第２ドレン管と、前記第１ドレン管と前記第２ドレン管とがそれぞれ接続され、前記第２ドレン管を流通するドレン又は該ドレンの再蒸発蒸気を前記第１ドレン管に流出させる配管継手とを備え、前記配管継手は、前記第１ドレン管及び前記第２ドレン管のそれぞれが接続される継手本体と、前記継手本体に設けられ、第２ドレン管から流入するドレンに含まれる蒸気を拡散させる拡散機構と、前記拡散機構によって拡散された蒸気が凝縮する際の衝撃から前記継手本体の内周面を保護するカバーとを有する。
【０００７】
ここに開示された配管継手は、ドレンが流通する第１ドレン管と、前記第１ドレン管を流通するドレンよりも高温のドレンが流通する第２ドレン管とがそれぞれ接続され、前記第２ドレン管からのドレン又は該ドレンの再蒸発蒸気を前記第１ドレン管に流出させる配管継手であって、前記第１ドレン管及び前記第２ドレン管のそれぞれが接続される継手本体と、前記継手本体に設けられ、前記第２ドレン管から流入するドレンに含まれる蒸気を拡散させる拡散機構と、前記拡散機構によって拡散された蒸気が凝縮する際の衝撃から前記継手本体の内周面を保護するカバーとを備える。
【発明の効果】
【０００８】
前記ドレン回収システムによれば、配管をウォータハンマから保護することができる。
【０００９】
前記配管継手によれば、配管をウォータハンマから保護することができる。
【図面の簡単な説明】
【００１０】
【図１】図１は、ドレン回収システムの配管図である。
【図２】図２は、第１配管継手の分解斜視図である。
【図３】図３は、第１配管継手の正面図である。
【図４】図４は、第１配管継手の断面図である。
【図５】図５は、第２配管継手の平面図である。
【発明を実施するための形態】
【００１１】
以下、本願の実施形態について図面を参照しながら説明する。なお、以下の実施形態は、本質的に好ましい例示であって、本願に開示の技術、その適用物、あるいはその用途の範囲を制限することを意図するものではない。
【００１２】
図１は、ドレン回収システム１の配管図である。ドレン回収システム１は、図１に示すように、蒸気が流通する蒸気管１１と、蒸気管１１を介して蒸気が供給される蒸気使用機器１３と、蒸気使用機器１３から排出されるドレンが流通する第１ドレン管１４と、蒸気管１１で発生したドレンが流通する複数の第２ドレン管１６と、第１ドレン管１４と第２ドレン管１６とがそれぞれ接続され、第２ドレン管１６を流通するドレンを第１ドレン管１４に流出させる第１配管継手５Ａ及び第２配管継手５Ｂとを備えている。ドレン回収システム１は、蒸気使用機器１３で発生したドレン及び蒸気管１１で発生したドレンを回収する。
【００１３】
蒸気管１１の上流端は、例えばボイラー設備（図示省略）に接続されている。蒸気管１１の下流端は、蒸気使用機器１３に接続されている。ボイラー設備で生成された蒸気が蒸気管１１を介して蒸気使用機器１３に供給される。蒸気管１１を流通する蒸気の圧力は、大気圧よりは高くなっている。蒸気管１１には、蒸気の圧力を調節する減圧弁１２が設けられている。蒸気使用機器１３は、例えば熱交換器である。蒸気使用機器１３においては、蒸気管１１から供給された蒸気が対象物に放熱して凝縮し、対象物が加熱される。蒸気は、凝縮することによってドレン（復水）になる。
【００１４】
第１ドレン管１４は、蒸気使用機器１３に接続されている。蒸気使用機器１３で蒸気の凝縮により発生したドレンは、第１ドレン管１４を介して回収される。第１ドレン管１４には、液体圧送装置１５が設けられている。液体圧送装置１５は、蒸気使用機器１３で発生したドレンを第１ドレン管１４を通じて下流側へ圧送するポンプである。例えば、液体圧送装置１５では、蒸気使用機器１３のドレンが第１ドレン管１４を介して流入し、一時的に貯留される。ドレンの貯留量が所定量になると、液体圧送装置１５に高圧の作動気体が導入され、貯留されていたドレンが作動気体の圧力によって第１ドレン管１４の下流側へ圧送される。ドレンが圧送されると、再び蒸気使用機器１３からドレンが液体圧送装置１５に流入して貯留される。こうして、液体圧送装置１５では、ドレンの流入とドレンの圧送（排出）とが交互に行われる。
【００１５】
複数の第２ドレン管１６は、蒸気管１１と第１配管継手５Ａ又は第２配管継手５Ｂとに接続されている。具体的に、第２ドレン管１６の上流端が蒸気管１１に接続され、第２ドレン管１６の下流端が第１配管継手５Ａ又は第２配管継手５Ｂに接続されている。複数の第２ドレン管１６は、互いに間隔（例えば、２０〜３０ｍ）を置いて設けられている。蒸気管１１において蒸気の一部が凝縮しドレンになる場合がある。その凝縮したドレンは、第２ドレン管１６並びに第１配管継手５Ａ又は第２配管継手５Ｂを介して第１ドレン管１４に回収される。
【００１６】
第２ドレン管１６の途中には、ドレントラップ１７が設けられている。ドレントラップ１７には、蒸気管１１で発生したドレンが第２ドレン管１６を介して流入する。ドレントラップ１７には、蒸気管１１から蒸気混じりのドレンが流入する。ドレントラップ１７は、その上下流の圧力差（上流側の圧力と下流側の圧力との差）によって、流入したドレンのみを下流側へ自動的に排出する。つまり、ドレントラップ１７は、蒸気管１１からの蒸気の通過を阻止する一方、蒸気管１１からのドレンの通過を許容する。蒸気管１１で発生したドレンは、第２ドレン管１６並びに第１配管継手５Ａ又は第２配管継手５Ｂを介して第１ドレン管１４を流通するドレンと合流し下流側へ圧送される。
【００１７】
まず、第１配管継手５Ａについて説明する。図２は、第１配管継手５Ａの分解斜視図である。図３は、第１配管継手５Ａの正面図である。図４は、第１配管継手５Ａの断面図である。
【００１８】
第１配管継手５Ａは、第１ドレン管１４及び第２ドレン管１６がそれぞれ接続されるＴ継手４Ａと、第２ドレン管１６から流入するフラッシュ蒸気を拡散させるサイレンサ２と、フラッシュ蒸気が凝縮する際の衝撃から配管を保護する第１カバー６Ａとを有している。第１配管継手５Ａは、第１ドレン管１４が屈曲する屈曲部において第２ドレン管１６を第１ドレン管１４に接続する。
【００１９】
Ｔ継手４Ａは、第１接続部４１と、第２接続部４２と、第３接続部４３とを有している。Ｔ継手４Ａは、継手本体の一例である。第２接続部４２と第３接続部４３とは、一直線上に配置されている。第１接続部４１には、第１ドレン管１４の流入側の部分が接続される。第２接続部４２には、第１ドレン管１４の流出側の部分が接続される。つまり、第１ドレン管１４の流路は、Ｔ継手４Ａを介してＬ字状に屈曲している。Ｔ継手４Ａ内には第１ドレン管１４のドレンが流通しているので、Ｔ継手４Ａは、第１ドレン管１４の一部とみなすこともできる。
【００２０】
第３接続部４３には、サイレンサ２が設けられている。第２ドレン管１６の下流端は、サイレンサ２に接続されている。すなわち、第２ドレン管１６は、サイレンサ２を介して第３接続部４３に接続されている。第２ドレン管１６は、第１ドレン管１４の流出側の部分と一直線上に配置されるように接続されている。
【００２１】
サイレンサ２は、頭部２２と軸部２３と有し、概ねボルト状に形成されている。軸部２３は、所定の軸心の方向に延びている。頭部２２は、軸部２３の軸心方向の一端に設けられている。頭部２２は、扁平な略六角柱状に形成されている。頭部２２及び軸部２３には、ドレン及び蒸気の流路２４が貫通して形成されている。ドレン及び蒸気は、頭部２２から軸部２３に向かって流れる。軸部２３のうち上流側の外周面には、雄ネジ２３ａが形成されている。サイレンサ２は、拡散機構の一例である。
【００２２】
流路２４は、流入路２５と、混合部２６と、複数の流出路２７とを有している。流入路２５は、頭部２２の上流端面に開口し、軸部２３の軸心方向に延びている。流入路２５は、頭部２２と軸部２３とに跨って形成されている。流入路２５には、第２ドレン管１６が接続されている。流入路２５の下流端部には、内径が小さくなったノズル部２５ａが設けられている。
【００２３】
混合部２６は、軸部２３に設けられており、ノズル部２５ａと連通している。つまり、混合部２６には、ノズル部２５ａから流体が噴射される。混合部２６は、流入路２５と同軸状に形成されている。
【００２４】
４つの流出路２７は、軸部２３において軸心を中心とする周方向に間隔を空けて設けられている。流出路２７は、混合部２６から軸部２３の軸心を中心とする半径方向外側に延びている。軸部２３の外周面には、流出路２７の下流端である開口２７ａが形成されている。
【００２５】
また、軸部２３には、混合部２６から軸部２３の軸心方向に延びる連通路２９が形成されている。連通路２９は、軸部２３の先端面（下流端面）に開口している。
【００２６】
第３接続部４３には、中央に開口を有する円盤状の蓋４４が溶接で固定されている。蓋４４の開口には、サイレンサ２の軸部２３が挿入される。このとき、頭部２２と蓋４４との間にはパッキン４５が設けられている。
【００２７】
第１カバー６Ａは、有底の円筒状に形成されている。詳しくは、第１カバー６Ａは、円筒状の円周壁６１と、円周壁６１の軸心方向の一端に設けられた底６２とを有している。円周壁６１には、切欠部６３が形成されている。円周壁６１の外径は、第２接続部４２及び第３接続部４３の内径よりも小さい。円周壁６１の軸心方向の長さは、サイレンサ２の軸部２３の長さよりも長い。底６２の中央には、サイレンサ２の軸部２３が挿入される開口が形成されている。第１カバー６Ａは、底６２が蓋４４と重なり合う状態でＴ継手４Ａ内（より詳しくは、第３接続部４３内）に配置される。このとき、底６２の開口に、サイレンサ２の軸部２３が挿入されている。この状態で、Ｔ継手４Ａの内側からサイレンサ２の軸部２３の雄ネジ２３ａにナット４６が螺合されている。つまり、サイレンサ２の頭部２２とナット４６とで、蓋４４と底６２とが挟み込まれた状態となり、こうして、サイレンサ２及び第１カバー６ＡがＴ継手４Ａに取り付けられている。
【００２８】
サイレンサ２及び第１カバー６ＡがＴ継手４Ａに取り付けられた状態において、サイレンサ２の軸部２３の先端は、第３接続部４３の軸心方向において、第１接続部４１の合流部分まで達している。第１カバー６Ａの一端は、第３接続部４３の軸心方向において、軸部２３の先端よりもさらに第２接続部４２の方まで延びている。その結果、図３に示すように、第１接続部４１の軸心方向における第１接続部４１の奥側には、軸部２３及び第１カバー６Ａが位置している。
【００２９】
このように構成された第１配管継手５Ａにおいては、蒸気管１１で発生して第２ドレン管１６を流通するドレンが、蒸気使用機器１３で発生して第１ドレン管１４を流通するドレンに合流する。
【００３０】
詳しくは、蒸気管１１を流通する蒸気の圧力は、大気圧よりも高い一方、第１ドレン管１４を流通するドレンの圧力は、略大気圧である。そのため、第２ドレン管１６を流通するドレンは、第１ドレン管１４の方へ流れるに従って圧力が低下し、再蒸発し得る。第２ドレン管１６を流通するドレンには、再蒸発蒸気（以下、「フラッシュ蒸気」ともいう）が混入していることがある。また、第２ドレン管１６を流通するドレンは、蒸気管１１で発生したドレンであり、第１ドレン管１４を流通するドレンに比べて高温である。同様に、フラッシュ蒸気も高温である。そして、この高温のフラッシュ蒸気が第１ドレン管１４を流通する比較的低温のドレンに流出すると、急激に凝縮し、ウォータハンマが発生し得る。
【００３１】
第１配管継手５Ａにおいては、第２ドレン管１６からのドレン及びフラッシュ蒸気がサイレンサ２を通過する。サイレンサ２において、流入したドレン及びフラッシュ蒸気はノズル部２５ａから混合部２６に噴射される。軸部２３はＴ継手４Ａ内に存在するので、混合部２６、流出路２７及び連通路２９には第１ドレン管１４を流通する低温のドレンが充満している。そのため、フラッシュ蒸気は、ノズル部２５ａを通過することで気泡が小さくなると共に、混合部２６において低温のドレンと混合され凝縮が促進される。混合部２６で凝縮し切らなかったフラッシュ蒸気は、流出路２７を通ってＴ継手４Ａ内に流出する。このとき、フラッシュ蒸気は、複数の流出路２７を通ることによって、Ｔ継手４内に拡散する。このように、サイレンサ２においては、ノズル部２５ａでフラッシュ蒸気の気泡が小さくなり、混合部２６でフラッシュ蒸気の少なくとも一部が凝縮し、さらには、残ったフラッシュ蒸気が複数の流出路２７から拡散する。その結果、流出路２７から流出するフラッシュ蒸気の気泡は小さくなる。こうして、フラッシュ蒸気の気泡を小さくすることによって、フラッシュ蒸気が凝縮する際の衝撃を小さくすることができる。これにより、ウォータハンマと言われるような大きな衝撃や音の発生を低減することができる。
【００３２】
しかしながら、フラッシュ蒸気の気泡が小さくても凝縮時に多少の衝撃が発生する。そこで、第１配管継手５Ａにおいては、サイレンサ２の外側、より詳しくは、第３接続部４３の内周面とサイレンサ２との間に第１カバー６Ａが設けられている。このような構成においては、フラッシュ蒸気の凝縮は、第１カバー６Ａの内側で起こる。そのため、凝縮時の衝撃は、第３接続部４３の内周面に作用し難い。その結果、フラッシュ蒸気の凝縮による衝撃から配管（即ち、Ｔ継手４Ａ）を保護することができる。
【００３３】
また、第１カバー６Ａは、少なくともサイレンサ２の上方を覆う部分を有している。流出口２７ａから流出したフラッシュ蒸気は、上方へ浮上していく。そのため、フラッシュ蒸気の凝縮は、サイレンサ２の上方で起こり易い。第１カバー６Ａは、少なくともサイレンサ２の上方を覆っているので、浮上するフラッシュ蒸気は、Ｔ継手４Ａの内周面まで達し難くなる。これにより、フラッシュ蒸気の凝縮による衝撃から配管（即ち、Ｔ継手４Ａ）を保護することができる。
【００３４】
さらに、第１カバー６Ａは、ドレンの流れ方向において流出口２７ａよりも下流側まで延びている。つまり、第３接続部４３においては、第２接続部４２の方へ向かってドレンが流れる。流出口２７ａから流出するフラッシュ蒸気は、このドレンの流れに沿って流れていく。流出口２７ａから流出したフラッシュ蒸気が下流側へ流れながら凝縮したとしても、第１カバー６Ａが流出口２７ａよりも下流側まで延びているので、第１カバー６Ａによって凝縮時の衝撃から配管を保護することができる。
【００３５】
また、第１配管継手５Ａにおいては、第１ドレン管１４の流路が屈曲している。第１接続部４１から流入するドレンは、第１接続部４１の軸心方向における第１接続部４１の奥側の壁にぶつかり、第２接続部４２の方へ屈曲して流れていく。そのため、ドレンの流れは、屈曲部において淀みやすい。この屈曲部にサイレンサ２を介して第２ドレン管１６が接続されているので、サイレンサ２から流出するフラッシュ蒸気も屈曲部に停滞しやすくなる。それに対し、第１カバー６Ａは、第３接続部４３と第１接続部４１との合流部まで延びている。すなわち、第１カバー６Ａは、第１接続部４１の軸心方向における第１接続部４１の奥側にも設けられている。第１ドレン管１４の屈曲部にフラッシュ蒸気が停滞したとしても、第１カバー６Ａによってフラッシュ蒸気の凝縮による衝撃から配管を保護することができる。
【００３６】
さらに、このような構成において、第１カバー６Ａに切欠部６３が形成され、切欠部６３が第１接続部４１の方を向くように第１カバー６Ａが配置されている。そのため、第１接続部４１から流入するドレンが切欠部６３を介して第１カバー６Ａ内に導入され、第１カバー６Ａ内でのフラッシュ蒸気の凝縮を促進することができる。
【００３７】
続いて、第２配管継手５Ｂについて説明する。図５は、第２配管継手５Ｂの平面図である。
【００３８】
第２配管継手５Ｂは、第１ドレン管１４及び第２ドレン管１６がそれぞれ接続されるクロス継手４Ｂと、第２ドレン管１６から流入するフラッシュ蒸気を拡散させるサイレンサ２と、フラッシュ蒸気が凝縮する際の衝撃から配管を保護する第２カバー６Ｂとを有している。第２配管継手５Ｂは、第１ドレン管１４が直線状に延びている部分において第２ドレン管１６を第１ドレン管１４に接続する。
【００３９】
クロス継手４Ｂは、第１接続部４１と、第２接続部４２と、第３接続部４３と、挿入管４７とを有している。クロス継手４Ｂは、継手本体の一例である。Ｔ継手４Ａと同様に、第１接続部４１には、第１ドレン管１４の流入側の部分が接続される。第２接続部４２には、第１ドレン管１４の流出側の部分が接続される。第３接続部４３には、第２ドレン管１６の下流端が接続される。Ｔ継手４Ａとは異なり、第１接続部４１と第２接続部４２とは、一直線上に配置されている。つまり、第１ドレン管１４は、クロス継手４Ｂを介して一直線状に延びている。クロス継手４Ｂ内には第１ドレン管１４のドレンが流通しているので、クロス継手４Ｂは、第１ドレン管１４の一部とみなすこともできる。
【００４０】
第３接続部４３には、サイレンサ２が設けられている。第２ドレン管１６の下流端は、サイレンサ２に接続されている。すなわち、第２ドレン管１６は、サイレンサ２を介して第３接続部４３に接続されている。サイレンサ２及び第３接続部４３の構成は、Ｔ継手４Ａと同様なので、説明を省略する。
【００４１】
第２カバー６Ｂは、切欠部６３が形成されていない点以外は、第１カバー６Ａと同じ構成をしている。すなわち、第２カバー６Ｂは、有底の円筒状に形成されている。クロス継手４Ｂへの第２カバー６Ｂの取付は、Ｔ継手４Ａへの第１カバー６Ａの取付と同様である。つまり、第２カバー６Ｂ及びサイレンサ２は、第３接続部４３内に配置されている。第２カバー６Ｂは、サイレンサ２とナット４６とによってクロス継手４Ｂへ取り付けられている。取付時においては、第２カバー６Ｂは、挿入管４７からクロス継手４Ｂ内に挿入される。第２カバー６Ｂの取付後に、挿入管４７は、ボルト４８等によって閉塞される。
【００４２】
このように構成された第２配管継手５Ｂにおいては、蒸気管１１で発生して第２ドレン管１６を流通するドレンが、蒸気使用機器１３で発生して第１ドレン管１４を流通するドレンに合流する。
【００４３】
詳しくは、第２配管継手５Ｂにおいては、第２ドレン管１６からのドレン及びフラッシュ蒸気がサイレンサ２を通過する。前述の如く、サイレンサ２を通過したフラッシュ蒸気は、気泡が小さくなると共に拡散する。フラッシュ蒸気の気泡を小さくし且つフラッシュ蒸気を拡散させることによって、フラッシュ蒸気が凝縮する際の衝撃を小さくすることができる。これにより、ウォータハンマと言われるような大きな衝撃や音の発生を低減することができる。
【００４４】
それに加えて、第２配管継手５Ｂにおいては、サイレンサ２の外側、より詳しくは、第３接続部４３の内周面とサイレンサ２との間に第２カバー６Ｂが設けられている。このような構成においては、フラッシュ蒸気の凝縮は、第２カバー６Ｂの内側で起こる。そのため、凝縮時の衝撃は、第３接続部４３の内周面に作用し難くなる。その結果、フラッシュ蒸気の凝縮による衝撃から配管（即ち、クロス継手４Ｂ）を保護することができる。
【００４５】
さらに、第２カバー６Ｂは、ドレンの流れ方向において流出口２７ａよりも下流側まで延びているので、流出口２７ａから流出したフラッシュ蒸気が下流側へ流れながら凝縮したとしても、第２カバー６Ｂによって凝縮時の衝撃から配管を保護することができる。
【００４６】
以上のように、ドレン回収システム１は、ドレンが流通する第１ドレン管１４と、第１ドレン管１４を流通するドレンよりも高温のドレンが流通する第２ドレン管１６と、第１ドレン管１４と第２ドレン管１６とがそれぞれ接続され、第２ドレン管１６を流通するドレン又は該ドレンの再蒸発蒸気を第１ドレン管１４に流出させる第１配管継手５Ａ又は第２配管継手とを備え、第１配管継手５Ａ又は第２配管継手５Ｂは、第１ドレン管１４及び第２ドレン管１６のそれぞれが接続されるＴ継手４Ａ又はクロス継手４Ｂ（継手本体）と、Ｔ継手４Ａ又はクロス継手４Ｂに設けられ、第２ドレン管１６から流入するドレンに含まれる蒸気を拡散させるサイレンサ２（拡散機構）と、サイレンサ２によって拡散された蒸気が凝縮する際の衝撃からＴ継手４Ａ又はクロス継手４Ｂの内周面を保護する第１カバー６Ａ又は第２カバー６Ｂとを有する。
【００４７】
換言すると、ドレンが流通する第１ドレン管１４と、第１ドレン管１４を流通するドレンよりも高温のドレンが流通する第２ドレン管１６とがそれぞれ接続され、第２ドレン管１６からのドレン又は該ドレンの再蒸発蒸気を第１ドレン管１４に流出させる第１配管継手５Ａ又は第２配管継手５Ｂは、第１ドレン管１４及び第２ドレン管１６のそれぞれが接続されるＴ継手４Ａ又はクロス継手４Ｂ（継手本体）と、Ｔ継手４Ａ又はクロス継手４Ｂに設けられ、第２ドレン管１６から流入するドレンに含まれる蒸気を拡散させるサイレンサ２（拡散機構）と、サイレンサ２によって拡散された蒸気が凝縮する際の衝撃からＴ継手４Ａ又はクロス継手４Ｂの内周面を保護する第１カバー６Ａ又は第２カバー６Ｂとを備える。
【００４８】
この構成によれば、第２ドレン管１６のドレンに含まれる蒸気は、第１ドレン管１４に流出する際にサイレンサ２によって拡散させられる。これにより、蒸気の気泡が小さくなり、蒸気の凝縮時の衝撃が低減される。ただし、気泡が小さくても、蒸気の凝縮時に多少の衝撃は発生する。それに対し、Ｔ継手４Ａ又はクロス継手４Ｂの内周面を保護する第１カバー６Ａ又は第２カバー６Ｂが設けられている。第１カバー６Ａ又は第２カバー６Ｂによって、Ｔ継手４Ａ又はクロス継手４Ｂの内周面が蒸気の凝縮時の衝撃から保護される。
【００４９】
また、第１カバー６Ａ又は第２カバー６Ｂは、少なくともサイレンサ２とＴ継手４Ａ又はクロス継手４Ｂの内周面との間に設けられている。
【００５０】
この構成によれば、第１カバー６Ａ又は第２カバー６Ｂによって、サイレンサ２から流出する蒸気がＴ継手４Ａ又はクロス継手４Ｂの内周面に達し難くなる。そして、蒸気の凝縮は、第１カバー６Ａ又は第２カバー６Ｂの内側で発生しやすくなる。その結果、凝縮時の衝撃は、Ｔ継手４Ａ又はクロス継手４Ｂの内周面に作用し難くなる。
【００５１】
第１カバー６Ａは、少なくともサイレンサ２の上方に設けられている。
【００５２】
サイレンサ２から流出する蒸気は、サイレンサ２から上方へ浮上していく。第１カバー６Ａが、少なくともサイレンサ２の上方に設けられているので、第１カバー６Ａは、蒸気の上方への浮上を妨害する。その結果、蒸気の凝縮は、サイレンサ２と第１カバー６Ａとの間で発生し易くなり、凝縮時の衝撃がＴ継手４Ａの内周面に作用し難くなる。
【００５３】
サイレンサ２は、蒸気が流出する流出口２７ａを有し、第１カバー６Ａ又は第２カバー６Ｂは、少なくともドレンの流れ方向において流出口２７ａよりも下流側に設けられている。
【００５４】
この構成によれば、蒸気が流出口２７ａから流出し、ドレンの流れに沿って流れていったとしても、第１カバー６Ａ又は第２カバー６Ｂによって、凝縮時の衝撃からＴ継手４Ａ又はクロス継手４Ｂの内周面を保護することができる。
【００５５】
さらに、ドレン回収システム１は、蒸気が流通する蒸気管１１をさらに備え、第２ドレン管１６は、蒸気管１１で発生したドレンを第１配管継手５Ａ又は第２配管継手５Ｂを介して第１ドレン管１４へ流出させる。
【００５６】
この構成によれば、第２ドレン管１６を流通するドレンは、蒸気管１１で発生したドレンであり、比較的高温である。つまり、第２ドレン管１６からの比較的高温のフラッシュ蒸気が、第１ドレン管１４の比較的低温のドレンに流出する。そのため、第１ドレン管１４においてフラッシュ蒸気が凝縮しやすくなっている。このような構成においては、第２ドレン管１６からのフラッシュ蒸気をサイレンサ２で拡散させると共に、サイレンサ２と配管との間に第１カバー６Ａ又は第２カバー６Ｂとを設けることが特に有効となる。
【００５７】
《その他の実施形態》
以上のように、本出願において開示する技術の例示として、前記実施形態を説明した。しかしながら、本開示における技術は、これに限定されず、適宜、変更、置き換え、付加、省略などを行った実施の形態にも適用可能である。また、前記実施形態で説明した各構成要素を組み合わせて、新たな実施の形態とすることも可能である。また、添付図面および詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５８】
前記実施形態について、以下のような構成としてもよい。
【００５９】
第２ドレン管１６が第１配管継手５Ａ又は第２配管継手５Ｂを介して第１ドレン管１４へ流出させるドレン又はフラッシュ蒸気は、蒸気管１１で発生したドレンに限られるものではない。第２ドレン管１６は、例えば、蒸気加熱装置において発生したドレン又はフラッシュ蒸気を第１配管継手５Ａ又は第２配管継手５Ｂを介して第１ドレン管１４へ流出させるように構成されていてもよい。つまり、第２ドレン管１６の上流端は、ドレン又はフラッシュ蒸気が発生する任意の場所に接続され得る。ここに開示された技術は、第１ドレン管１４のドレンよりも高温のドレンを第２ドレン管１６並びに第１配管継手５Ａ又は第２配管継手５Ｂを介して流出させる構成において有効なので、第２ドレン管１６の上流端は、蒸気が流通し、又は供給されてドレンが発生する場所に接続されていることが好ましい。
【００６０】
また、第１ドレン管１４と第２ドレン管１６との接続部は、第１配管継手５Ａ及び第２配管継手５Ｂに限られるものではない。例えば、Ｔ継手４Ａ及びクロス継手４Ｂ以外の継手で第１ドレン管１４と第２ドレン管１６とを接続してもよい。
【００６１】
また、拡散機構は、サイレンサ２でなくてもよい。例えば、拡散機構は、複数の流出口を有し、該複数の流出口から蒸気を第１ドレン管１４内に流出させる配管であってもよい。すなわち、第２ドレン管１６からの蒸気を第１ドレン管１４内に拡散させる機構であれば、任意の機構を採用することができる。
【００６２】
さらに、カバーは、第１カバー６Ａ及び第２カバー６Ｂに限られない。蒸気の凝縮が発生しやすい場所は、接続部及び拡散機構の構成に応じて異なる。そのため、接続部及び拡散機構の構成に応じて、カバーの構成も異なり得る。
【産業上の利用可能性】
【００６３】
以上説明したように、ここに開示された技術は、ドレン回収システム及び配管継手について有用である。
【符号の説明】
【００６４】
１          ドレン回収システム
１１        蒸気管
１４        第１ドレン管
１６        第２ドレン管
２          サイレンサ（拡散機構）
２７ａ      流出口
４Ａ        Ｔ継手（継手本体）
４Ｂ        クロス継手（継手本体）
５Ａ        第１配管継手（配管継手）
５Ｂ        第２配管継手（配管継手）
６Ａ        第１カバー（カバー）
６Ｂ        第２カバー（カバー）
【図１】
2018194184.tif 000003
【図２】
2018194184.tif 000004
【図３】
2018194184.tif 000005
【図４】
2018194184.tif 000006
【図５】
2018194184.tif 000007